(57)【要約】      （修正有）【課題】多数の棒状の加熱ピンを配置することによって、毛髪に対して適度の櫛テンションを与え、加えて効率的に毛髪に熱を与えやすい構成とし、容易に自由なヘアースタイリングを可能としたヘアーアイロンを提供する。【解決手段】本体を把持操作するグリップ１、グリップ先方の櫛歯部２を備えたヘアーアイロンであって、櫛歯部は、発熱部から熱を受けて加熱される加熱ピン８と、加熱ピンの外側を覆うガードピン９を備えており、加熱ピンは、所定間隔で棒状に立設されており、ガードピンは、加熱ピンの外周を取り囲んだ状態で左右方向に架け渡され、前後方向に所定間隔で立設されている。【選択図】図１
0003213090.tif 000002
【実用新案登録請求の範囲】
【請求項１】
本体を把持操作するグリップ（１）、グリップ先方の櫛歯部（２）を備えたヘアーアイロンであって、
前記櫛歯部（２）は、発熱部から熱を受けて加熱される加熱ピン（８）と、その加熱ピン（８）の外側を覆うガードピン（９）を備えており、
前記加熱ピン（８）は、所定間隔で棒状に立設されており、
前記ガードピン（９）は、加熱ピン（８）の外周を取り囲んだ状態で左右方向に架け渡され、前後方向に所定間隔で立設されていることを特徴とするヘアーアイロン。
【請求項２】
ガードピン（９）の内側には、その内側の形状に応じ、高さ、形状の異なる加熱ピン（８）が立設されていることを特徴とする請求項１記載のヘアーアイロン。
【請求項３】
２桁の加熱ピン列と３桁の加熱ピン列が前後方向に交互に連続して配置されていることを特徴とする請求項１〜２いずれか記載のヘアーアイロン。
【請求項４】
加熱ピン（８）が配置される前後方向のピッチと、ガードピン（９）が配置される前後方向のピッチにはずれが設定されていることを特徴とする請求項１〜３いずれか記載のヘアーアイロン。
【請求項５】
ガードピン（９）の先端部分には玉ピン（１４）が設けられていることを特徴とする請求項１〜４いずれか記載のヘアーアイロン。
【請求項６】
横幅の異なるガードピン（９）を配設したことを特徴とする請求項１〜５いずれか記載のヘアーアイロン。
【考案の詳細な説明】
【技術分野】
【０００１】
本考案は、理容店や美容院等または家庭用として利用に供されるヘアーアイロンに関し、特に、多数の棒状の加熱ピンを配置することによって、毛髪に対して適度のテンションを与え、加えて効率的に毛髪に熱を与えやすい構成とし、容易に自由なヘアースタイリングを可能としたヘアーアイロンに関する。
【背景技術】
【０００２】
従来、毛髪を熱の作用でカールセットする手段として、発熱体を備えたアイロン部に毛髪を巻き付けるヘアーアイロンがあり、このヘアーアイロンは、櫛歯部に毛髪を挟む髪押さえ部（クリップ）を備え、このクリップによって毛髪を挟み、カールやストレート等に毛髪の形付け（ヘアースタイリング）を行う構成となっている。
このようなクリップを備えたヘアーアイロンに関する技術として特許文献１、２の技術が公知である。
【先行技術文献】
【特許文献】
【０００３】
【特許文献１】実公平８−３２９５号公報
【特許文献２】実開平５−９５４０１号公報
【考案の概要】
【考案が解決しようとする課題】
【０００４】
前記特許文献１，２の技術にように、髪押さえクリップがある場合、髪の毛の毛先を髪押さえ部で挟んで巻き込んだ際、その髪押さえ部が巻き付いた毛髪により開閉できなくなるため、取り外しが困難という問題があった。
毛髪からヘアーアイロンを取り外すには、毛先から巻き込んだ後、また毛先まで巻き戻さなければならない。しかし、この巻き戻しの際、髪の毛を引っ張ったりしてしまうとヘアーアイロンからの余熱により作ったカールが型崩れするという問題もある。
クリップがある場合、毛髪の中間部分をクリップした場合、毛髪の短い部位も共にクリップしてしまうため、毛髪が引っ掛ってしまい、スタイリングが困難であり、また、毛髪を根本から先端方向へ巻き込みながらスタイリングをする、いわゆる巻きおろしが困難という問題もあった。
【０００５】
本考案は、かかる従来の従来の問題を解決するためになされたものであって、その目的とするところは、多数の棒状の加熱ピンを配置することによって、毛髪に対して適度の櫛テンションを与え、加えて効率的に毛髪に熱を与えやすい構成とし、容易に自由なヘアースタイリングを可能としたヘアーアイロンを提供することにある。
【課題を解決するための手段】
【０００６】
前記目的を達成するための手段として請求項１記載のヘアーアイロンでは、本体を把持操作するグリップ（１）、グリップ先方の櫛歯部（２）を備えたヘアーアイロンであって、前記櫛歯部（２）は、発熱部から熱を受けて加熱される加熱ピン（８）と、その加熱ピン（８）の外側を覆うガードピン（９）を備えており、  前記加熱ピン（８）は、所定間隔で棒状に立設されており、前記ガードピン（９）は、加熱ピン（８）の外周を取り囲んだ状態で左右方向に架け渡され、前後方向に所定間隔で立設されていることを特徴とする。
【０００７】
請求項２記載のヘアーアイロンでは、請求項１記載のヘアーアイロンにおいて、ガードピン（９）の内側には、その内側の形状に応じ、高さ、形状の異なる加熱ピン（８）が立設されていることを特徴とする。
【０００８】
請求項３記載のヘアーアイロンでは、請求項１〜２いずれか記載のヘアーアイロンにおいて、２桁の加熱ピン列と３桁の加熱ピン列が前後方向に交互に連続して配置されていることを特徴とする。
【０００９】
請求項４記載のヘアーアイロンでは、請求項１〜３いずれか記載のヘアーアイロンにおいて、加熱ピン（８）が配置される前後方向のピッチと、ガードピン（９）が配置される前後方向のピッチにはずれが設定されていることを特徴とする。
【００１０】
請求項５記載のヘアーアイロンでは、請求項１〜４いずれか記載のヘアーアイロンにおいて、ガードピン（９）の先端部分には玉ピン（１４）が設けられていることを特徴とする。
【００１１】
請求項６記載のヘアーアイロンでは、請求項１〜５いずれか記載のヘアーアイロンにおいて、横幅の異なるガードピン（９）を配設したことを特徴とする。
【考案の効果】
【００１２】
請求項１記載のヘアーアイロンでは、発熱部から熱を受けて加熱される加熱ピンと、その加熱ピンの外側を覆うガードピンを備えているので、ガードピンで発熱部に対して頭皮や毛髪への接触を調整しながら、コーミングにより毛髪の形付けやくせ伸ばしができる。また、本考案のヘアーアイロンを使用し、カールやウェーブを形成、あるいはストレートの毛流れをつくることができ、さらに、毛髪根本部の立ち上げ（ボリュームアップ）が容易にできる。
所定間隔で棒状に立設した多数の加熱ピンを配置したので、コーミング時に毛髪に効率的に熱を与えやすく、毛髪への摩擦テンションが適度に付与される。そのため、希望通りのスタイリングが容易である。
【００１３】
請求項２記載のヘアーアイロンでは、ガードピンの内側には、その内側の形状に応じ、高さ、形状の異なる加熱ピンを立設したので、多様な方向から毛髪に接触することができ、毛髪への摩擦テンション、及びアイロン効果が確実に得られる。
【００１４】
請求項３記載のヘアーアイロンでは、２本の加熱ピン列と３本の加熱ピン列が前後方向に交互に連続して配置されているので、アーチ状のガードピンの内部空間を効率的に利用して、多数の加熱ピンを配置することができる。
【００１５】
請求項４記載のヘアーアイロンでは、加熱ピンが配置される前後方向のピッチと、ガードピンが配置される前後方向のピッチにずれを設定したので、毛髪との適度の摩擦性により、アイロン効果が適切に得られ、毛髪を掴みやすく、しかも摩擦し過ぎず、ヘアースタイルに適切な毛髪への摩擦と解放具合が実現される。
【００１６】
請求項５記載のヘアーアイロンでは、ガードピンの先端部分に玉ピンを設けたので、玉ピンによって頭皮へ接触時の刺激、衝撃を回避できる。また、玉ピンを利用して毛髪を櫛歯部に絡ませすくい上げることも可能であり、櫛としての取扱い性を向上させる。
【００１７】
請求項６記載のヘアーアイロンでは、横幅の異なるガードピンを配設したので、頭皮や毛髪が櫛歯部の側面に接触しても、発熱部への密着が回避され、頭皮・手指・顔回りの熱損傷を防止する。
【図面の簡単な説明】
【００１８】
【図１】ヘアーアイロンの斜視図である。
【図２】ヘアーアイロンの側面図である。
【図３】櫛歯部のピンの根本を水平に切断した状態のピンの立設位置を示す説明図である。
【図４】櫛歯部を左右方向に垂直に切断した状態の３桁の加熱ピン列の構造を示す説明図である。
【図５】櫛歯部を左右方向に垂直に切断した状態の２桁の加熱ピン列の構造を示す説明図である。
【考案を実施するための形態】
【実施例１】
【００１９】
本考案の第１実施例に係るヘアーアイロンは、図１〜５に示すように、基部にグリップ１、先方に櫛歯部２を備えた直状構造体から構成されている。
グリップ１は把持に適した流線縁を備えた略円柱形の取っ手であり、グリップ１の基端には電源コード３が連結され、中央側面に電源スイッチ４、操作スイッチ５が設けられている。
【００２０】
櫛歯部２はグリップ前方の延長線上に配置され、固定座６の一面側（上方）にピンが立設されている。
固定座６の内部には発熱体７が備えられており、グリップ１基部に連結された電源コード３から電気の供給を受けて発熱する構成となっている。
【００２１】
櫛歯部２は、発熱体７から熱を受けて加熱される加熱ピン８と、その加熱ピン８の外側を覆うガードピン９を有している。
この加熱ピン９は熱伝導効率の優れた金属から構成され、一例としてアルミ表面にセラミックやメッキ、フッ素などで塗膜塗装したものが使用される。
加熱ピン９は、固定座６から棒状に立ち上がる３桁のピン列と、２桁のピン列を備えており、その３桁のピン列と２桁のピン列が交互に隣接して連続している。
本実施例では３桁のピン列と２桁のピン列を合わせて３０本のピン列が配置されている。
【００２２】
３桁のピン列は、図４に示すように、中央のトップピン１０とその両側のサイドピン１１を備え、トップピン１０は棒状に立ち上がる略四角柱のピンであり、サイドピン１１は基部から先端方向へ向かって三角に湾曲し徐々に先鋭した形状となっている。
サイドピン１１の形状は、内側の縁は直線で形成され、外側の縁はガードピン９の内周に沿って内側方向にその先端が湾曲している。
【００２３】
２桁のピン列は、図５に示すように、棒状に立ち上がる略四角柱の２本のミドルピン１２からなり、この２本のミドルピン１２は相互に同一形状であり、櫛歯部２の左右方向の中心から間隔をおいてほぼ平行に立設されている。
３桁のピン列と２桁のピン列は、本体の前後方向に隣接して配置されており、それぞれピンの真後ろではなく、ピンのない背後に配置されている。つまり、トップピン１０とサイドピン１１の間の背後にミドルピン１２が位置し、ミドルピン１２とミドルピン１２の間の背後にトップピン１０、ミドルピン１２の左右端の背後にサイドピン１１が位置するように構成されている。
ピンの側面及び上面の角は、毛髪との引っ掛かりや損傷等を防止するために角を取って丸く処理されている。
【００２４】
ピンの形状と高さは、トップピン１０は中心に位置しているため、空間に沿って一番高く形成され、サイドピン１１は低く形成されている。
また、ミドルピン１２は、中心を挟んだ左右に位置しているため、トップピン１０より低く、サイドピン１１よりも高く形成されている。
また、それぞれのピンは基部から先端へ向かって細く形成され、基部の隙間が狭く、そのため毛髪を挟みやすく、毛髪をコーミングする際に毛髪の摩擦テンションが確保できるようになっている。
また、ピンの底面１３は円弧状に湾曲してやや盛り上がっており、コーミング時には毛髪がピンの底面１３にも接触してアイロン効果が得られるようになっている。
【００２５】
ガードピン９は加熱ピン８の外側を覆う保護部材である。
ガードピン９は固定座６の左右端から上方に向けて湾曲しながら山状に隆起して先端中央が上方に突き出している。そのため、固定座６の左右端を連結して、アーチ状に架け渡された構成となっている。そして、アーチ状に形成された内部空間に加熱ピン８が収容されている。
また、アーチは本体の左右方向に毛髪の通過する隙間を置いて架け渡されているので、ガードピン９とガードピン９の間で毛髪をすく櫛歯としても機能する。
【００２６】
ガードピン９の先端には玉ピン１４が設けられており、玉ピン１４は頭皮へ接触時の刺激、衝撃を回避する機能を有すると共に、毛髪の引っかかり効果を有し、櫛の取扱い性を向上させる。この玉ピンは本実施例では隣接するガードピン９の１本おきに設けられている。
【００２７】
ガードピン９は保護強度を得るために所定の形状を有するが、髪の毛のスムーズな通過を確保するために、アーチ部分は左右方向に平たく形成されている。
また、ガードピン９のアーチ側面は外側に向かってやや拡幅されており、この拡幅部分が大きいガードピンと、小さいガードピンが交互に連続している。つまり、図４における幅ｈ１に対して、図５における幅ｈ２がやや広く形成されている。かかる構成としため、櫛歯部２の側面に頭皮・手指・顔回りが接触しても、内部の熱を拡散させるスペースが確保され、発熱部への密着が回避され、頭皮・手指・顔回りの熱損傷を防止する。
【００２８】
加熱ピン８が配置される前後方向のピッチと、ガードピン９が配置される前後方向のピッチは同一ピッチではなく、若干のずれが設定されている。そのため、毛髪を掴みやすく、しかも摩擦し過ぎず、ヘアースタイルに適切な毛髪への摩擦と解放具合が実現されている。
【００２９】
次に、本実施例のヘアーアイロンの使用方法を説明する。
電源スイッチ４をＯＮにして、発熱体７へ通電し、櫛歯部２の加熱ピン８を加熱させる。
加熱ピン８が適切な温度に達した状態で、櫛歯部２で髪を梳きながらストレートスタイルにしたり、カールスタイルにしたり、毛髪根元を立ち上げたり、毛先や前髪の毛流れをつくる。
ここで、櫛歯部２は所定間隔で棒状に立設した多数の加熱ピン８を備えているので、そして、左右の加熱ピン８に加えて底面１３からも熱を受けるので、コーミング時に毛髪に効率的に熱を与えやすく、毛髪との摩擦テンションが適度に付与される。そのため希望通りのスタイリングができる。
また、ガードピン９を備えているので、発熱部に対して頭皮・手指・顔回りへの接触を調整しながら、コーミングにより毛髪の形付けやくせ伸ばしができる。
【００３０】
そして、ガードピン９の内側には、その内側の形状に応じ、高さ、形状の異なる加熱ピン８が立設されているので、多様な方向から毛髪をスルーすることができ、毛髪との摩擦テンション、アイロン効果が確実に得られる。
さらに、加熱ピン８が配置される前後方向のピッチと、ガードピン９が配置される前後方向のピッチにずれを設定したので、毛髪との摩擦テンション、アイロン効果が適切に得られ、毛髪を掴みやすく、しかも摩擦し過ぎず、ヘアースタイルに適切な毛髪の摩擦と解放具合が実現される。
【００３１】
また、ガードピン９先端には玉ピン１４が設けられているので、玉ピン１４によって頭皮へ接触時の刺激、衝撃を回避できる。そして、玉ピン１４を利用して毛髪を櫛に絡ませすくい上げることも可能であり、コーム（櫛）としての取扱い性を向上させる。
また、横幅の異なるガードピン９を配設したので、櫛歯部の側面に頭皮や毛髪が接触しても、発熱部への密着が回避され、頭皮・手指・顔回りの熱損傷を防止する。
本実施例のヘアーアイロンは毛髪をクリップせず、加熱ピン８に絡めるので、毛髪の毛先、中間部、根本部のどこからでも、加熱ピンが毛髪に接することで、容易に毛髪にカールやウェーブ、あるいはストレートに伸ばすことができる。
すなわち、毛先から毛髪を巻き込みながら、あるいは、毛髪の根本部または中間部から巻き込みながらスルーしてスタイリングもできるし、単にスルーしてストレートにスタイリングもできる。
【実施例２】
【００３２】
次に、第２実施例に係るヘアーアイロンを説明する。
第２実施例ヘアーアイロンは、第１実施例における加熱ピン８またはガードピン９のいずれか一方、或いは加熱ピン８とガードピン９の両方に、そして、底面１３に多元素鉱物ミネラル粉状体または遠赤外線放射粉状体を含有させていることを特徴としている。
【００３３】
本実施例のヘアーアイロンは、遠赤外線放射粉状体から放射される遠赤外線により、アイロン効果が効果的に得られる。
多元素鉱物ミネラル粉状体から放射される微弱エネルギーにより毛髪をケアしながらスタイリングすることができ、また、頭皮の血行を増進させて発毛促進や効果的なスキャルプケアができる。
また、多元素鉱物ミネラル粉状体の作用によってブラッシングしても静電気が発生せず、ブラッシングや加熱板によるカールやストレート等をスムーズに行なうことができると共にスタイリングも容易にできる。
【００３４】
しかも多元素鉱物ミネラル粉状体から発生するマイナスイオンによってブラッシングするだけで髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００３５】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００３６】
多元素鉱物ミネラル粉状体は、多元素鉱物をボールミル等で粉砕してパウダーに形成したもので、この場合の粉砕数値は１〜３ミクロンが望ましいが数値は変わってもよい。
多元素鉱物ミネラル粉状体は単独或いは組み合わせて使用することができるが、２種類以上を適宜配合して使用することが好ましい。
この多元素鉱物ミネラル粉状体はそのまま使用してもよいし、これを水と混合し、加熱又は加圧した後、上澄み液を真空凍結乾燥や噴射乾燥により粉末にしたものを使用してもよい。
【００３７】
本考案でいう「含有」には、多元素鉱物粉状や遠赤外線放射粉状体を加熱ピン、ガードピン自体に練り込んで所定の形状に成型したものの他、多元素鉱物粉状や遠赤外線放射粉状体をコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものが含まれる。
セラミックコーティング層の形成方法については、多元素鉱物粉状や遠赤外線放射粉状体をコーティング剤である耐熱性フォーマイカに加えて塗料状にしたものをピンに塗布し、これを加熱炉に通してコーティング剤を飛ばして（焼き付けて）形成する方法等による。
耐熱性フォーマイカに対する多元素鉱物粉状または遠赤外線放射粉状体の混合割合は、容積比で３〜１５％が望ましいがこの数値に限定されるものではない。
【００３８】
そして、加熱ピンまたはガードピンに多元素鉱物粉状体を混合させるには、例えば、多元素鉱物をボールミルやジェットミル等で約１〜３ミクロンに粉砕して粉状体に形成し、これを０．５〜１０％の比率で多元素鉱物の原料中（例えば、溶融金属、溶融樹脂）に混合し、成形するようにしている。
【００３９】
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００４０】
多元素鉱物の例である真珠岩の成分を以下の表１に示す。
【００４１】
【表１】
0003213090.tif 000003
尚、この表１において、ｉｇ・ｌｏｓｓは、カオリンの化粧品基準、強熱減量（５００℃、恒温）に準じる。
【００４２】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００４３】
以上、本考案の実施例を説明したが、本考案の具体的な構成はこの実施例に限定されるものではなく、考案の要旨を逸脱しない範囲における設定変更等があっても本考案に含まれる。
【符号の説明】
【００４４】
１  グリップ
２  櫛歯部
３  電源コード
４  電源スイッチ
５  操作スイッチ
６  固定座
７  発熱体
８  加熱ピン
９  ガードピン
１０  トップピン
１１  サイドピン
１２  ミドルピン
１３  底面
１４  玉ピン
【図１】
0003213090.tif 000004
【図２】
0003213090.tif 000005
【図３】
0003213090.tif 000006
【図４】
0003213090.tif 000007
【図５】
0003213090.tif 000008